(57)【要約】【課題】タンクトップ水着の優れた特徴を損なうことなく、無理なくボディーラインを美しく整えることを目的とする。【解決手段】上端に一対の肩紐２，２を有する外着部１と、一対のカップ部４，４を有するバスト部３と、その前身頃上方にバスト部３のサポートパネルを設け、且つその裏地7aを伸縮性材質で構成した水着本体７とからなり、バスト部３はその両端部を外着部１の脇部内面に逢着し、水着本体７の後身頃の上端部は外着部１の後身頃上端内周に沿って逢着するとともに、水着本体７前身頃の腹部に斜め横方向にパワーネット帯体10,10をクロス状に逢着し、また水着本体７後身頃の背部幅方向にパワーネット帯体11を逢着し、更に水着本体７後身頃のヒップ部にそのヒップラインに沿ってパワーネット帯体12を逢着したタンクトップ水着。【選択図】図３
2007291574.tif 000002
【特許請求の範囲】
【請求項１】
上端に一対の肩紐を有する外着部と、一対のカップ部を有するバスト部と、その前身頃上方にバスト部のサポートパネルを設け、且つその裏地を伸縮性材質で構成した水着本体とからなり、バスト部はその両端部を上記外着部の脇部内面に逢着し、水着本体の後身頃の上端部は上記外着部の後身頃上端内周に沿って逢着するとともに、水着本体前身頃の腹部に斜め横方向にパワーネット帯体をクロス状に逢着し、また水着本体後身頃の背部幅方向にパワーネット帯体を逢着し、更に水着本体後身頃のヒップ部にそのヒップラインに沿ってパワーネット帯体を逢着したことを特徴とするタンクトップ水着。
【発明の詳細な説明】
【技術分野】
【０００１】
この発明は、無理なくボディーラインを美しく整えることができるようにしたタンクトップ水着に関するものである。
【背景技術】
【０００２】
従来ブラジャー付き水着としては、水着本体のバスト部の内側に、該水着本体とは独立に構成したブラジャーを相対移動可能に取り付けた女性用水着が提案されている（特開2000-303219公報）。
【０００３】
また、本願考案者は先にショーツ部の上方を延長して上縁部を形成し、該上縁部の後身頃の上端を外着部の後身頃の上端内周に逢着し、更に上記上縁部の前身頃の上記カップ部に当接する箇所を切り欠き、且つその上端を外着部の前身頃上端内周に縫着させたタンクトップ水着を提案した（実用新案登録第3078999号）。
【０００４】
更に、上端に一対の肩紐を有する外着部と、一対のカップ部を有するバスト部と、ショーツ部とからなり、バスト部はその両端部を上記外着部の脇部内面に逢着し、ショーツ部の上縁部には伸縮性材質で構成された胴着部を設け、該胴着部の後身頃の上端部は上記外着部の後身頃上端内周に沿って逢着し、胴着部の前身頃の上縁部には上記バスト部のサポートパネルを設け、該サポートパネルの上端に設けた紐部を上記外着部の一対の肩紐の内面に縫着したタンクトップ水着が提案されている（実用新案登録第3108985号）。
【特許文献１】特開2000-303219公報、実用新案登録第3078999号、実用新案登録第3108985号
【発明の開示】
【発明が解決しようとする課題】
【０００５】
実用新案登録第3108985号に開示されているタンクトップ水着には、サポートパネルの上縁はカップ部の下縁、即ちカップ部の下辺縁から上辺縁を沿って斜め方向に引き上げて外着部の一対の肩紐の内面に逢着された紐部に連設されているため、着用時にカップ部はサポートパネルに引き上げられ、バストアップを図ることができる。
【０００６】
したがって、バストアップしたプロポーションを保持しつつ着用時においては水着本体に締め付けられるような窮屈な感じがなく、ふわふわした着心地が得られるなどの優れた特徴がある。
【０００７】
この発明は、上述のタンクトップ水着の優れた特徴を損なうことなく、無理なくボディーラインを美しく整えることを目的とするものである。
【課題を解決するための手段】
【０００８】
この発明は、上記実情に鑑み、上端に一対の肩紐を有する外着部と、一対のカップ部を有するバスト部と、その前身頃上方にバスト部のサポートパネルを設け、且つその裏地を伸縮性材質で構成した水着本体とからなり、バスト部はその両端部を上記外着部の脇部内面に逢着し、水着本体の後身頃の上端部は上記外着部の後身頃上端内周に沿って逢着するとともに、水着本体前身頃の腹部に斜め横方向にパワーネット帯体をクロス状に逢着し、また水着本体後身頃の背部幅方向にパワーネット帯体を逢着し、更に水着本体後身頃のヒップ部にそのヒップラインに沿ってパワーネット帯体を逢着したタンクトップ水着を提案するものである。
【発明の効果】
【０００９】
即ち、この発明においては水着本体の裏地を伸縮性材質で構成され、該水着本体の後身頃の上端部を外着部の後身頃上端内周に沿って縫着してあるため、着用時において水着本体の裏地を構成する伸縮性材質で引き締められ、ボディーラインを美しく整えることができる。
【００１０】
また、この発明では水着本体の前身頃の上方にバスト部のサポートパネルを設け、サポートパネルの上縁を上記カップ部の下縁に沿って位置させ、サポートパネルの上端中央に設けた紐部を外着部の前身頃上端部内面中央に逢着し、更にサポートパネルの両端部を外着部の両脇に逢着してバストアップを図るようにしているが、バスト部の下縁とサポートパネルの上縁は分離されているため、着用時にバスト部がサポートパネルにより引き下げられることもない。
【００１１】
したがって、この発明においてはバストアップしたプロポーションを保持しつつ着用時においては水着本体に締め付けられるような窮屈な感じがなく、ふわふわした着心地が得られる。
【００１２】
更に、この発明においては水着本体前身頃の腹部に斜め横方向にクロス状に逢着されたパワーネット帯体により腹部を窮屈感なくすっきりと引き締めることができる。
【００１３】
また、この発明においては水着本体後身頃の背部幅方向に逢着されたパワーネット帯体により背筋が伸ばされ、後ろ姿のボディーラインを整えることができる。
【００１４】
また、この発明においては水着本体後身頃のヒップ部にそのヒップラインに沿って逢着されたパワーネット帯体によりヒップ部が下から持ち上げられて強力なヒップアップ効果を発揮することができる。
【発明を実施するための最良の形態】
【００１５】
上端に一対の肩紐を有する外着部と、一対のカップ部を有するバスト部と、その前身頃上方にバスト部のサポートパネルを設け、且つその裏地を伸縮性材質で構成した水着本体とからなり、バスト部はその両端部を上記外着部の脇部内面に逢着し、水着本体の後身頃の上端部は上記外着部の後身頃上端内周に沿って逢着するとともに、水着本体前身頃の腹部に斜め横方向にパワーネット帯体をクロス状に逢着し、また水着本体後身頃の背部幅方向にパワーネット帯体を逢着し、更に水着本体後身頃のヒップ部にそのヒップラインに沿ってパワーネット帯体を逢着したタンクトップ水着
【実施例１】
【００１６】
以下、この発明を図示の実施例に基づいて詳細に説明すると、１は上端に一対の肩紐２，２を有する外着部、３は一対のカップ部４，４を有するバスト部で、バスト部３はカップ部４，４の端部に強力パワーネット等の伸縮性布帛で構成されたサイドパネル５，５を逢着し、サイドパネル５，５とカップ部４，４の下端部にはゴム等の伸縮片６を設けて構成される。
【００１７】
そして、サイドパネル５と伸縮片６の両端部は外着部１の脇部内面に逢着される。
【００１８】
７は水着本体で、その裏地7aを肌触りのよいサーテンネット地で構成して無理なくサポートして胴部及び腹部の膨らみを抑えるようにしている。
【００１９】
なお、水着本体７はその後身頃の上端部を外着部１の後身頃上端内周に沿って逢着され、また８はその上端中央に紐部９を有するバスト部３のサポートパネルであり、サポートパネル８はその下縁を水着本体７の前身頃の上縁部に逢着すると共に、その上縁8aをカップ部４，４の下縁に沿って位置させ、且つサポートパネル８両端部を外着部１の両脇に逢着し、紐部９の上端部を外着部１の前身頃内面中央に逢着する。
【００２０】
一方、水着本体７の前身頃の腹部には斜め横方向にパワーネット帯体10,10をクロス状に逢着し、また水着本体７の後身頃の背部幅方向にはパワーネット帯体11を逢着し、更に水着本体７の後身頃のヒップ部にはそのヒップラインに沿ってパワーネット帯体12を逢着する。
【００２１】
以上の構成において、この発明では水着本体の７の裏地をサーテンネット地で構成するため、胴部乃至腹部がサーテンネット地で構成された裏地で引き締められる。
【００２２】
また、この発明ではバスト部３の下縁部とサポートパネル８の前身頃の上縁部は分離されているため、着用時にバスト部３がサポートパネル８引き下げられることもなく、バストの形を崩すことはない。
【００２３】
また、この発明では水着本体７の前身頃の腹部に斜め横方向にクロス状に逢着されたパワーネット帯体10,10により腹部を窮屈感なくすっきりと引き締めることができる。
【００２４】
更に、水着本体７の後身頃の背部幅方向に逢着されたパワーネット帯体11により背筋が伸ばされ、後ろ姿のボディーラインを整えることができる。
【００２５】
また、水着本体７の後身頃のヒップ部のヒップラインに沿って逢着されたパワーネット帯体12によりヒップ部が下から持ち上げられて強力なヒップアップ効果を発揮することができる。
【産業上の利用可能性】
【００２６】
以上要するに、この発明によれば無理なくボディーラインを美しく整えられるタンクトップ水着を提供できる。
【図面の簡単な説明】
【００２７】
【図１】この発明の一実施例を示す正面図
【図２】同上の背面図
【図３】同上の実施例において外着部を想像線で表した一部切欠した正面図
【図４】図３におけるＡ−Ａ線断面図
【図５】図３におけるＢ−Ｂ線断面図
【符号の説明】
【００２８】
１は外着部
２，２は肩紐
３はバスト部
４，４はカップ部
５，５はサイドパネル
６は伸縮片
７は水着本体
7aは水着本体の裏地
８，８はサポートパネル
8aはサポートパネルの上縁
９は紐部
10,10は水着本体の前身頃の腹部に逢着されたパワーネット帯体
11は水着本体の後身頃の背部に逢着されたパワーネット帯体
12は水着本体の後身頃のヒップ部に逢着されたパワーネット帯体
【図１】
2007291574.tif 000003
【図２】
2007291574.tif 000004
【図３】
2007291574.tif 000005
【図４】
2007291574.tif 000006
【図５】
2007291574.tif 000007